(57)【要約】【課題】信号線群とこの信号線群と長さの異なる他の信号線群が近接して配置されている場合において、互いに隣接する一方の信号線群の信号線と他方の信号線群の信号線とのスパークによる静電気の断線を防止する。【解決手段】基板上に、複数の第１信号線が並設された第１信号線群と、この第１信号線群と隣接された領域に複数の第２信号線が並設された第２信号線群とが形成され、前記第１信号線群と第２信号線群との間にダミー用配線が形成されている。【選択図】        図１
2004151298.tif 000002
【特許請求の範囲】
【請求項１】
基板上に、複数の第１信号線が並設された第１信号線群と、この第１信号線群と隣接された領域に複数の第２信号線が並設された第２信号線群とが形成され、
前記第１信号線群と第２信号線群との間にダミー用配線が形成されていることを特徴とする画像表示装置。
【請求項２】
前記ダミー用配線はその両端が他の信号線に接続されていないことを特徴とする請求項１に記載の画像表示装置。
【請求項３】
前記ダミー用配線はその一箇所にてそれに隣接する第１信号線あるいは第２信号線と接続されていることを特徴とする請求項１に記載の画像表示装置。
【請求項４】
前記ダミー用配線は並設された複数の配線からなることを特徴とする請求項１から３のうちいずれかに記載の画像表示装置。
【請求項５】
基板の画像表示部内の各画素に信号線を介して信号を供給する駆動回路が該画像表示部外に形成され、
前記駆動回路は複数の半導体装置から構成されるとともに、これら各半導体装置は隣接する他の半導体装置との間にデータ転送信号線を介してデータを供給するように構成され、
前記信号線とデータ転送信号線との間にダミー用配線が形成されていることを特徴とする画像表示装置。
【請求項６】
前記信号線は各画素に映像信号を供給するドレイン信号線であるとともに、前記駆動回路は映像信号駆動回路であることを特徴とする請求項５に記載の画像表示装置。
【請求項７】
前記信号線は各画素に走査信号を供給するゲート信号線であるとともに、前記駆動回路は走査信号駆動回路であることを特徴とする請求項５に記載の画像表示装置。
【請求項８】
前記信号線は互いに隣接されるもの同士でグループ化され、各グループ化された信号線は画像表示部外において集束する方向に指向されてそれぞれの半導体装置に接続されているとともに、半導体装置とこれに隣接する他の半導体装置との間を接続するデータ転送信号線はこれら各半導体装置よりも画像表示部側に迂回して形成されていることを特徴とする請求項５に記載の画像表示装置。
【請求項９】
前記ダミー用配線はそれに隣接する前記信号線と接続されていることを特徴とする請求項５に記載の画像表示装置。
【請求項１０】
前記ダミー用配線と前記信号線との接続は画像表示部側にてなされていることを特徴とする請求項９に記載の画像表示装置。
【請求項１１】
基板の画像表示部内の各画素に一対の電極が形成されているとともに、そのうちの一方は他方の電極に供給される信号に対して基準となる対向電圧供給信号が供給される対向電極を備え、
前記各画素に信号線を介して信号を供給する駆動回路が該画素表示部外に形成され、
前記駆動回路は複数の半導体装置から構成されるとともに、これら半導体装置とそれに隣接する他の半導体装置との間の領域に前記対向電極に対向電圧供給信号を供給する対向電圧供給信号線が形成され、
前記信号線と対向電圧供給信号線との間にダミー用配線が形成されていることを特徴とする画像表示装置。
【発明の詳細な説明】
【０００１】
【発明の属する技術分野】
本発明は画像表示装置に係り、たとえばアクティブ・マトリクス型と称される画像表示装置に関する。
【０００２】
【従来の技術】
たとえばアクティブ・マトリクス型の液晶表示装置は、そのパネル内に、一方向に並設された各画素からなる画素群に走査信号を供給するゲート信号線と、該走査信号が供給された各画素に映像信号を供給するドレイン信号線とが設けられている。
【０００３】
各画素には、走査信号の供給によって動作するスイッチング素子と、このスイッチング素子を介してドレイン信号線からの信号が供給される画素電極、およびこの画素電極との間に液晶の光透過率を制御させる電界を発生せしめる対向電極とが形成されている。
【０００４】
前記ゲート信号線への走査信号の供給、およびドレイン信号線への映像信号の供給は、それぞれ、パネルのうち一方の基板であって前記ゲート信号線およびドレイン信号線が形成された面に搭載された半導体装置からなる走査信号駆動回路および映像信号駆動回路（以下、これらを単に信号駆動回路と称する場合がある。）によってなされるようになっている。
【０００５】
そして、走査信号駆動回路および映像信号駆動回路は、それぞれ、互いに隣接する信号線同士でグループ化された各グループごとにあてがわれる複数の半導体装置で構成されている。
【０００６】
この場合、たとえば映像信号駆動回路を構成する複数の各半導体装置は隣接する他の半導体装置との間にデータ転送信号線を介してデータが送られるように構成し、これにより、各半導体装置にそれぞれ独立に信号を供給する構成の煩雑さを回避したものが知られている。
【０００７】
【発明が解決しようとする課題】
しかしながら、このように構成される画像表示装置は、その製造工程において、前記データ転送信号線とこれに隣接して配置されるドレイン信号線との間に静電気によるスパークが発生し、それらが断線するという現象を見出した。
【０００８】
この原因を追求したところ次のことが判明した。すなわち、製造工程中における基板は、それを支持する金属製の固定部と吸着、剥離を繰り返し、いわゆる剥離帯電と称する高電圧の静電気が全体に加わることになる。
【０００９】
この場合、データ転送信号線群として形成される各データ転送信号線の面積と、該データ転送信号線群に近接してたとえばドレイン信号線群として形成される各ドレイン信号線の面積は大きな相違を有する。データ転送信号線群が基板の周辺に形成されるのに対し、ドレイン信号線群はパネルを横切って延在するためである。
【００１０】
このため、データ転送信号線群に帯電される静電気の帯電量と、ドレイン信号線群に帯電される静電気の帯電量に大きな差が生じ、互いに隣接するデータ転送信号線とドレイン信号線との間にスパークが発生し易くなる。
【００１１】
さらに、製造工程中において、データ転送信号線は１本毎に孤立し、ドレイン信号線同士は互いに共通線で接続されているような構成を一時的に有する場合、該ドレイン信号線の電位が急速に０に近づくに対し、データ転送信号線の電位は高いままで維持されることがある。
【００１２】
このため、データ転送信号線とドレイン信号線の間に高電圧の電位差が生じ、互いに隣接するデータ転送信号線とドレイン信号線との間にスパークが発生し易くなる。
【００１３】
本発明は、このような事情に基づいてなされたもので、その目的は、信号線群とこの信号線群と長さの異なる他の信号線群が近接して配置されている場合において、互いに隣接する一方の信号線群の信号線と他方の信号線群の信号線とのスパークによる静電気の断線を防止した画像表示装置を提供することにある。
【００１４】
【課題を解決するための手段】
本願において開示される発明のうち、代表的なものの概要を簡単に説明すれば、以下のとおりである。
【００１５】
手段１．
本発明による画像表示装置は、たとえば、基板上に、複数の第１信号線が並設された第１信号線群と、この第１信号線群と隣接された領域に複数の第２信号線が並設された第２信号線群とが形成され、
前記第１信号線群と第２信号線群との間にダミー用配線が形成されていることを特徴とするものである。
【００１６】
手段２．
本発明による画像表示装置は、たとえば、手段１の構成を前提とし、前記ダミー用配線はその両端が他の信号線に接続されていないことを特徴とするものである。
【００１７】
手段３．
本発明による画像表示装置は、たとえば、手段１の構成を前提とし、前記ダミー用配線はその一箇所にてそれに隣接する第１信号線あるいは第２信号線と接続されていることを特徴とするものである。
【００１８】
手段４．
本発明による画像表示装置は、たとえば、手段１から３のうちいずれかの構成を前提とし、前記ダミー用配線は並設された複数の配線からなることを特徴とするものである。
【００１９】
手段５．
本発明による画像表示装置は、たとえば、基板の画像表示部内の各画素に信号線を介して信号を供給する駆動回路が該画像表示部外に形成され、
前記駆動回路は複数の半導体装置から構成されるとともに、これら各半導体装置は隣接する他の半導体装置との間にデータ転送信号線を介してデータを供給するように構成され、
前記信号線とデータ転送信号線との間にダミー用配線が形成されていることを特徴とするものである。
【００２０】
手段６．
本発明による画像表示装置は、たとえば、手段５の構成を前提とし、前記信号線は各画素に映像信号を供給するドレイン信号線であるとともに、前記駆動回路は映像信号駆動回路であることを特徴とするものである。
【００２１】
手段７．
本発明による画像表示装置は、たとえば、手段５の構成を前提とし、前記信号線は各画素に走査信号を供給するゲート信号線であるとともに、前記駆動回路は走査信号駆動回路であることを特徴とするものである。
【００２２】
手段８．
本発明による画像表示装置は、たとえば、手段５の構成を前提とし、前記信号線は互いに隣接されるもの同士でグループ化され、各グループ化された信号線は画像表示部外において集束する方向に指向されてそれぞれの半導体装置に接続されているとともに、半導体装置とこれに隣接する他の半導体装置との間を接続するデータ転送信号線はこれら各半導体装置よりも画像表示部側に迂回して形成されていることを特徴とするものである。
【００２３】
手段９．
本発明による画像表示装置は、たとえば、手段５の構成を前提とし、前記ダミー用配線はそれに隣接する前記信号線と接続されていることを特徴とするものである。
【００２４】
手段１０．
本発明による画像表示装置は、たとえば、手段９の構成を前提とし、前記ダミー用配線と前記信号線との接続は画像表示部側にてなされていることを特徴とするものである。
【００２５】
手段１１．
本発明による画像表示装置は、たとえば、基板の画像表示部内の各画素に一対の電極が形成されているとともに、そのうちの一方は他方の電極に供給される信号に対して基準となる対向電圧供給信号が供給される対向電極を備え、
前記各画素に信号線を介して信号を供給する駆動回路が該画素表示部外に形成され、
前記駆動回路は複数の半導体装置から構成されるとともに、これら半導体装置とそれに隣接する他の半導体装置との間の領域に前記対向電極に対向電圧供給信号を供給する対向電圧供給信号線が形成され、
前記信号線と対向電圧供給信号線との間にダミー用配線が形成されていることを特徴とするものである。
なお、本発明は以上の構成に限定されず、本発明の技術思想を逸脱しない範囲で種々の変更が可能である。
【００２６】
【発明の実施の形態】
以下、本発明による画像表示装置の実施例を図面を用いて説明をする。以下の説明において画像表示装置はたとえば液晶表示装置を例に揚げて説明する。
【００２７】
実施例１．
《全体の構成》
図２は本発明による液晶表示装置の一実施例を示す平面図であり、一部において等価回路で示している。
同図において、液晶を介して互いに対向配置される一対の透明基板ＳＵＢ１、ＳＵＢ２があり、該液晶は一方の透明基板ＳＵＢ１に対する他方の透明基板ＳＵＢ２の固定を兼ねるシール材ＳＬによって封入されている。
【００２８】
シール材ＳＬによって囲まれた前記一方の透明基板ＳＵＢ１の液晶側の面には、そのｘ方向に延在しｙ方向に並設されたゲート信号線ＧＬとｙ方向に延在しｘ方向に並設されたドレイン信号線ＤＬとが形成されている。
【００２９】
各ゲート信号線ＧＬと各ドレイン信号線ＤＬとで囲まれた領域は画素領域を構成するとともに、これら各画素領域のマトリクス状の集合体は液晶表示部ＡＲを構成するようになっている。
【００３０】
また、ｘ方向に並設される各画素領域のそれぞれにはそれら各画素領域内に走行された共通の対向電圧信号線ＣＬが形成されている。この対向電圧信号線ＣＬは各画素領域の後述する対向電極ＣＴに映像信号に対して基準となる電圧を供給するための信号線となるものである。
【００３１】
各画素領域には、その片側のゲート信号線ＧＬからの走査信号によって作動される薄膜トランジスタＴＦＴと、この薄膜トランジスタＴＦＴを介して片側のドレイン信号線ＤＬからの映像信号が供給される画素電極ＰＸが形成されている。
【００３２】
この画素電極ＰＸは、前記対向電圧信号線ＣＬと接続された対向電極ＣＴとの間に電界を発生させ、この電界によって液晶の光透過率を制御させるようになっている。
【００３３】
前記ゲート信号線ＧＬのそれぞれの一端は前記シール材ＳＬを超えて延在され、その延在端は走査信号駆動回路Ｖの出力端子が接続される端子ＧＬＴを構成するようになっている。また、前記走査信号駆動回路Ｖの入力端子は液晶表示パネルの外部に配置されたプリント基板（図示せず）からの信号が入力されるようになっている。
【００３４】
走査信号駆動回路Ｖは複数個の半導体装置からなり、互いに隣接する複数のゲート信号線ＧＬどうしがグループ化され、これら各グループ毎に一個の半導体装置があてがわれるようになっている。
【００３５】
同様に、前記ドレイン信号線ＤＬのそれぞれの一端は前記シール材ＳＬを超えて延在され、その延在端は映像信号駆動回路Ｈｅの出力端子ＤＬＴが接続される端子を構成するようになっている。また、前記映像信号駆動回路Ｈｅの入力端子は液晶表示パネルの外部に配置されたプリント基板（図示せず）からの信号が入力されるようになっている。
【００３６】
この映像信号駆動回路Ｈｅも複数個の半導体装置からなり、互いに隣接する複数のドレイン信号線ＤＬどうしがグループ化され、これら各グループ毎に一個の半導体装置があてがわれるようになっている。
【００３７】
また、前記対向電圧信号線ＣＬは図中右側の端部で共通に接続され、その接続線はシール材ＳＬを超えて延在され、その延在端において端子ＣＬＴを構成している。この端子ＣＬＴからは映像信号に対して基準となる電圧が供給されるようになっている。
前記各ゲート信号線ＧＬは、走査信号駆動回路Ｖからの走査信号によって、その一つが順次選択されるようになっている。
【００３８】
また、前記各ドレイン信号線ＤＬのそれぞれには、映像信号駆動回路Ｈｅによって、前記ゲート信号線ＧＬの選択のタイミングに合わせて映像信号が供給されるようになっている。
【００３９】
《信号駆動回路》
図３は、図２と同様に液晶表示装置の平面図を示す図であるが、走査信号駆動回路Ｖが複数の半導体装置から構成され、それらが透明基板ＳＵＢ１上にてｙ方向に並設されていること、また、映像信号駆動回路Ｈｅが複数の半導体装置から構成され、それらが透明基板ＳＵＢ１上にてｘ方向に並設されていることを示している。
【００４０】
さらに、液晶表示部ＡＲ側から引き出されるドレイン信号線ＤＬは、他の互いに隣接されてグループ分けされた他のドレイン信号線とともに、一つの半導体装置に指向して集束されるようにして形成されている。
【００４１】
液晶表示部ＡＲにおける各ドレイン信号線ＤＬのピッチよりもそれら各ドレイン信号線ＤＬと接続される半導体装置のバンプのピッチの方が小さいからである。
【００４２】
同様に、液晶表示部ＡＲ側から引き出されるゲート信号線ＧＬは、他の互いに隣接されてグループ分けされた他のゲート信号線とともに、一つの半導体装置に指向して集束されるようにして形成されている。
【００４３】
また、この実施例では、映像信号駆動回路Ｈｅを構成する半導体装置であって、そのうちの一つの半導体装置とこの半導体装置に隣接する他の半導体装置とを接続するデータ転送信号線ＤＴＬが透明基板ＳＵＢ１上に形成されている。
このデータ転送信号線ＤＴＬを介して前記各半導体装置に順次信号を供給するように構成し、各半導体装置に独立に信号を供給する煩雑さを回避している。
【００４４】
同様に、走査信号駆動回路Ｖを構成する半導体装置にあっても、そのうちの一つの半導体装置とこの半導体装置に隣接する他の半導体装置とを接続するデータ転送信号線ＤＴＬが透明基板ＳＵＢ１上に形成されている。
【００４５】
《ドレイン信号線とデータ転送信号線との配置関係》
図１は、前記ドレイン信号線ＤＬとデータ転送信号線ＤＴＬとの配置関係の詳細を示す図で、図３の矩形枠Ａに相当する部分の拡大図である。
【００４６】
図中右側のドレイン信号線ＤＬ（Ｒ）群は、図示しないが図中右側に配置される半導体装置に指向させるため、たとえば２個の屈曲部を有して走行するように形成されている。すなわち、液晶表示部ＡＲ側から延在される各ドレイン信号線ＤＬはまず最初の屈曲部によって互いに集束する方向に方向を変え、次の屈曲部によってそのまま半導体装置の接続すべくバンプ側に方向を変えて走行するようになっている。
【００４７】
同様に、図中左側のドレイン信号線ＤＬ（Ｌ）群も、図示しないが図中左側に配置される半導体装置に指向させるため、たとえば２個の屈曲部を有して走行するように形成されている。
なお、この実施例では、各ドレイン信号線ＤＬの前記各屈曲部はシール材ＳＬの形成領域内に位置づけられるようになっている。
【００４８】
そして、左右互いに異なる方向に指向するドレイン信号線ＤＬ（Ｒ）群およびドレイン信号線ＤＬ（Ｌ）群との間には、それらドレイン信号線ＤＬが形成されることのない領域が形成され、この領域に隣接する各半導体装置を接続されるデータ転送信号線ＤＴＬ群が回り込んで形成されている。
【００４９】
このように迂回させてデータ転送信号線ＤＴＬ群を形成しているのは、たとえば映像信号駆動回路Ｈｅを構成する各半導体装置に対して透明基板ＳＵＢ１の周辺側の幅を小さくしていわゆる額縁と称される領域を狭めるためである。
【００５０】
このことから、各半導体装置に接続されるグループ化されたドレイン信号線ＤＬ群の脇に配置されるドレイン信号線ＤＬと、前記データ転送信号線ＤＴＬ群の脇に配置されるデータ転送信号線ＤＴＬの間は僅かな隙間しか有しないことになる。
【００５１】
この場合、各ドレイン信号線ＤＬの長さと各データ転送信号線ＤＴＬの長さに大きな差があり、これにより、静電気によってドレイン信号線ＤＬ群に帯電される帯電量とデータ転送信号線ＤＴＬ群に帯電される帯電量とが大きく異なり、図１に対応する図４に示すように、互いに隣接して配置されるドレイン信号線ＤＬとデータ転送信号線ＤＴＬとの間に静電気によるスパークＳＰが発生し、少なくともそのいずれか一方の信号線が断線してしまうことになる。
【００５２】
それ故、この実施例では、図１に示すように、前記隙間において、たとえば、ドレイン信号線ＤＬ群の脇に配置されるドレイン信号線ＤＬの走行方向に沿っていわゆるダミー用配線ＤＬＹが形成された構成となっている。ここで、このダミー用配線ＤＬＹとは信号伝達に寄与しない配線をいい、この実施例では、その両端はいずれの他の配線と接続されていないようになっている。
【００５３】
このように構成することにより、ドレイン信号線ＤＬ群の脇に配置されたドレイン信号線ＤＬはそれに隣接されるダミー用配線ＤＬＹとの間でスパークを飛ばすことができ、該ドレイン信号線ＤＬの断線を防止することができる。また、データ転送信号線ＤＴＬ群の脇に配置されたデータ転送信号線ＤＴＬはそれに隣接される該ダミー用配線ＤＬＹとの間でスパークを飛ばすことができ、該データ転送信号線ＤＴＬの断線を防止することができる。
なお、実際の製品に適用するにあたって、図１に対応する構成を図５に、また、図５に対応する図であって前記ダミー用配線ＤＬＹを設けていない図を図６に示している。
【００５４】
実施例２．
図７は、本発明による画像表示装置の他の実施例を示す図で、図１に対応した図となっている。
図１の場合と比較して異なる構成は、ダミー用配線ＤＬＹはその一部においてそれに隣接するドレイン信号線ＤＬと接続部ＪＫを介して電気的に接続された形態をとっていることにある。
【００５５】
これにより、ダミー用配線ＤＬＹにおける電位をドレイン信号線ＤＬ群の脇に位置づけられるドレイン信号線ＤＬのそれと同じにすることで、該ダミー用配線ＤＬＹの電位を安定化させている。
これにより、静電気によるスパークをダミー用配線ＤＬＹで確実に起させるようにしている。
【００５６】
この場合、一般にドレイン信号線ＤＬの線幅はデータ転送信号線ＤＴＬのそれよりも小さくなっている。そして、ダミー用配線ＤＬＹの線幅は該ドレイン信号線ＤＬのそれに対して３／４ないし５／４に設定することが望ましい。
【００５７】
ダミー用配線ＤＬＹに電気的に接続されたドレイン信号線ＤＬの容量を他の各ドレイン信号線ＤＬの容量に近づけるためである。これにより輝度の均一化を実現できるようになる。
【００５８】
実施例３．
図８は、本発明による画像表示装置の他の実施例を示す図で、図７に対応した図となっている。
図７の場合と同様に、ダミー用配線ＤＬＹはそれに隣接するドレイン信号線ＤＬと接続されているが、その接続部ＪＫは液晶表示部ＡＲ側の端部においてなされ、透明基板ＳＵＢ１の周辺側ではなされていないことにある。
【００５９】
このように構成することにより、ダミー用配線ＤＬＹのスパークによる断線を液晶表示部ＡＲに近い方でなされるようにしている。仮に、ダミー用配線ＤＬＹが透明基板ＳＵＢ１の周辺側でなされた場合、その断線箇所からいわゆる電蝕が発生し、そこから電蝕が進行してしまう恐れがあるからである。
また、ダミー用配線ＤＬＹの液晶表示部ＡＲに近い側では、シール材ＳＬに覆われ、断線が発生してもそこから電蝕が発生しにくい状態となっている。
【００６０】
実施例４．
図９は、本発明による画像表示装置の他の実施例を示す図で、図８に対応した図となっている。
図８の場合と比較して異なる構成は、図８に示したダミー用配線ＤＬＹを第１ダミー用配線ＤＬＹ１とした場合、さらにそれに隣接させて第２ダミー用配線ＤＬＹ２を設けたことにある。
【００６１】
また、この第２ダミー用配線ＤＬＹはその液晶表示部ＡＲ側の端部において前記第１ダミー用配線ＤＬＹ１と接続されている。
このように構成することによって、ダミー用配線ＤＬＹの機能をさらに強化することができるようになる。
【００６２】
実施例５．
図１０は、本発明による画像表示装置の他の実施例を示す図で、図９に対応した図となっている。
図９の場合と比較して異なる構成は、第２ダミー用配線ＤＬＹ２の第１ダミー用配線ＤＬＹ１との接続は液晶表示部ＡＲ側の端部側でなく透明基板ＳＵＢ１の周辺側の一端でなされていることにある。
【００６３】
第２ダミー用配線ＤＬＹ２にてスパークによる断線がたとえ発生しても、その部分からの電蝕がドレイン信号線ＤＬにまで到るためには第１ダミー用配線ＤＬＹ１を経なければならず、構造的に電蝕が伝播しにくくなるからである。
【００６４】
実施例６．
図１１は、本発明による画像表示装置の他の実施例を示す図で、図１に対応した図となっている。
図１の場合と比較して異なる構成は、映像信号駆動回路Ｈｅを構成する各半導体装置の間には、前述したデータ転送信号線ＤＴＬが配置されているのでなく、対向電圧信号線ＣＬが配置されている箇所もある。
【００６５】
この実施例は、この対向電圧信号線ＣＬが配置されている部分を示している。この対向電圧信号線ＣＬはたとえばドレイン信号線ＤＬと同層に形成され、液晶表示部ＡＲ側へ延在する対向電極ＣＬとは絶縁膜を介して異層（上層）に形成されている。
このため、前記対向電圧信号線ＣＬは前記絶縁膜に形成されたコンタクトホールＣＨを通して前記対向電圧ＣＬと電気的に接続されている。
【００６６】
ここで、対向電圧信号線ＣＬの周囲にはドレイン信号線ＤＬ群が配置されていることから、それらの間の静電気の帯電量の相違から上述した不都合が生じる。このため、この実施例においても、対向電圧信号線ＣＬとドレイン信号線ＤＬ群との間にダミー用配線ＤＬＹを設けるようにしたものである。
なお、この場合においても、ダミー用配線ＤＬＹの具体的な構成は上述した実施例に示す思想が適用されることはいうまでもない。
【００６７】
なお、上述した各実施例は、ドレイン信号線ＤＬと映像信号駆動回路Ｈｅの各半導体装置を接続させるデータ転送信号線ＤＴＬとの間のスパークによる断線等を防止する構成について示したものである。しかし、ゲート信号線ＧＬと走査信号駆動回路Ｖの各半導体装置を接続させるデータ転送信号線との間のスパークによる断線等も上述したと同様の構成で防止できることはいうまでもない。
【００６８】
また、上述した画像表示装置は、液晶表示装置を例に揚げて説明したものであるが、たとえば有機ＥＬ表示装置においても適用が可能である。有機ＥＬ表示装置は、その画素の構成において有機ＥＬ層を介して一対の電極を有し、それ以外の他の構成はほとんど液晶表示装置と異ならないからである。
【００６９】
【発明の効果】
以上説明したことから明らかなように、本発明による画像表示装置によれば、信号線群とこの信号線群と長さの異なる他の信号線群が近接して配置されている場合において、互いに隣接する一方の信号線群の信号線と他方の信号線群の信号線とのスパークによる静電気の断線を防止することができる。
【図面の簡単な説明】
【図１】本発明による画像表示装置の一実施例を示す要部平面図で、図３の枠Ａの部分に相当する図である。
【図２】本発明による画像表示装置の全体の一実施例を示す平面図である。
【図３】本発明による画像表示装置の全体の一実施例を示す平面図で、図２を簡略化した図である。
【図４】本発明による効果を示すための比較となる図である。
【図５】製品に本発明を適用した図で、図１に対応する平面図である。
【図６】製品に本発明を適用しない場合の図で、図４に対応する平面図である。
【図７】本発明による画像表示装置の一実施例を示す要部平面図である。
【図８】本発明による画像表示装置の一実施例を示す要部平面図である。
【図９】本発明による画像表示装置の一実施例を示す要部平面図である。
【図１０】本発明による画像表示装置の一実施例を示す要部平面図である。
【図１１】本発明による画像表示装置の一実施例を示す要部平面図である。
【符号の説明】
ＳＵＢ……透明基板、ＧＬ……ゲート信号線、ＤＬ……ドレイン信号線、ＣＬ……対向電圧信号線、ＴＦＴ……薄膜トランジスタ、ＰＸ……画素電極、ＣＴ……対向電極、ＳＬ……シール材、ＡＲ……液晶表示部、Ｈｅ……映像信号駆動回路、Ｖ……走査信号駆動回路、ＤＴＬ……データ転送信号線、ＤＬＹ……ダミー用配線。
【図１】
2004151298.tif 000003
【図２】
2004151298.tif 000004
【図３】
2004151298.tif 000005
【図４】
2004151298.tif 000006
【図５】
2004151298.tif 000007
【図６】
2004151298.tif 000008
【図７】
2004151298.tif 000009
【図８】
2004151298.tif 000010
【図９】
2004151298.tif 000011
【図１０】
2004151298.tif 000012
【図１１】
2004151298.tif 000013